(57)【特許請求の範囲】
【請求項１】
送電線鉄塔のアームの左右両側にそれぞれ設けられた耐張がいし装置を介して張設された送電線を接続するジャンパ装置であって、そのジャンパ装置のジャンパ線は、一端がそれら耐張がいし装置の先端側にそれぞれ設けられたジャンパ支持装置で張設して支持されるとともに、そのジャンパ線には、上記アームに設けられたインパルスホーンに対向したジャンパホーンが設けられているジャンパ装置において、
前記両ジャンパ支持装置に質量差を設け、その質量差により、前記インパルスホーン及びジャンパホーンが一本の垂直線上に位置するように調整することを特徴とするジャンパ装置。
【請求項２】
送電線鉄塔のアームの左右両側にそれぞれ設けられた耐張がいし装置を介して張設された送電線を接続するジャンパ装置であって、そのジャンパ装置のジャンパ線は、一端がそれら耐張がいし装置の先端側にそれぞれ設けられたジャンパ支持装置で張設して支持されるジャンパ装置において、
前記両ジャンパ支持装置に質量差を設け、その質量差により、前記ジャンパ線の弛み底の位置が所定の位置となるように調整することを特徴とするジャンパ装置。
【発明の詳細な説明】
【０００１】
【発明の属する技術分野】
本発明はジャンパ装置に係り、特に、送電線鉄塔側に設けられたインパルスホーンとジャンパ線側に設けられたジャンパホーンとの位置合せの調整を容易に行えるように、また、ジャンパ線の弛み底の位置を所定の位置に容易に調整できるようにしたジャンパ装置に関する。
【０００２】
【従来の技術】
従来のジャンパ装置は、送電線鉄塔（以下、「鉄塔」という。）のアームの左右両側にそれぞれ設けられた耐張がいし装置にジャンパ支持装置を設け、それらジャンパ支持装置の下端にＨ型鋼やパイプ材等からなる剛性の水平材を設けるとともに、その水平材にジャンパ線を添設して構成されている（例えば、実開昭６０−５１７２５号公報等）。
【０００３】
また、上述の水平材を用いるジャンパ装置は、装置が大掛かりになるので、これを避けるために、両ジャンパ支持装置の下部でジャンパ線を直接支持して張設するジャンパ装置も提案されている。
【０００４】
【発明が解決しようとする課題】
しかしながら、上記従来のジャンパ線をジャンパ支持装置で直接張設したジャンパ装置は、後述する本発明の実施の形態の項で用いる図１に示されるように、アームａの両側の送電線Ｌ，Ｌのカテナリ角θ1 ，θ2 が異なると、ジャンパ線Ｊに設けられたジャンパホーンＨ1 と、アームａに設けられたインスパルホーンＨ2 とが一本の垂直線上から外れ、すなわち、ジャンパホーンＨ1 の先端部とインスパルホーンＨ2 の先端部とが正確に対向しなくなり、ホーンの放電効果が損なわれるおそれがあった。また、上述のホーンＨ1 ，Ｈ2 を設けない場合、ジャンパ線の弛み底の位置が所定の位置に位置していないと、アーム（鉄塔側）とジャンパ線との絶縁距離を正確にとれなくなるおそれがあった。
【０００５】
そこで、本発明は、上記欠点を解決するためになされたものであって、その目的は、インパルスホーンに対するジャンパホーンの位置調整を容易に行えるようにし、また、ジャンパ線の弛み底を所定の位置に容易に調整することのできるジャンパ装置を提供することにある。
【０００６】
【課題を解決するための手段】
本発明に係るジャンパ装置は、上記目的を達成するために、鉄塔のアームの左右両側にそれぞれ設けられた耐張がいし装置を介して張設された送電線を接続するジャンパ装置であって、そのジャンパ装置のジャンパ線は、一端がそれら耐張がいし装置の先端側にそれぞれ設けられたジャンパ支持装置で張設して支持されるとともに、そのジャンパ線には、上記アームに設けられたインパルスホーンに対向したジャンパホーンが設けられているジャンパ装置において、前記両ジャンパ支持装置に質量差を設け、その質量差により、前記インパルスホーン及びジャンパホーンが一本の垂直線上に位置するように調整することを特徴としている。
【０００７】
本発明に係るジャンパ装置は、鉄塔のアームの左右両側にそれぞれ設けられた耐張がいし装置を介して張設された送電線を接続するジャンパ装置であって、そのジャンパ装置のジャンパ線は、一端がそれら耐張がいし装置の先端側にそれぞれ設けられたジャンパ支持装置で張設して支持されるジャンパ装置において、前記両ジャンパ支持装置に質量差を設け、その質量差により、前記ジャンパ線の弛み底の位置が所定の位置となるように調整することを特徴としている。
【０００８】
【発明の実施の形態】
以下、本発明の実施の形態を図面に基づいて説明する。図１は、一実施の形態に係るジャンパ装置の概略構成図であり、図示しない鉄塔に設けられたアームａの両側には、耐張がいし装置１ａ，１ｂがそれぞれ設けられており、それら耐張がいし装置１ａ，１ｂの先端部（アームａと反対側の端部）には、送電線Ｌ，Ｌがそれぞれ張設されている。なお、ここでは、送電線Ｌは４導体として示されている（後述の図２及び図３参照）。
【０００９】
ジャンパ線Ｊは、送電線Ｌを延長して構成され、アームａの下方に設けられている。そして、このジャンパ線Ｊの中央部には、図２に拡大して示されるように、スペーサＳを利用して上に突出するようにジャンパホーンＨ1 が設けられている。
【００１０】
図中、Ｈ2 は、アームａに下に突出するように設けられたインパルスホーンである。なお、インパルスホーンＨ2 と上記ジャンパホーンＨ1 とは、後述するウエイトＷにより両ホーンＨ1 ，Ｈ2 の先端位置が一本の垂直線Ｖ上に位置するように調整されている。
【００１１】
ジャンパ線Ｊは、図２に示されるようなスペーサＳにより等間隔に保持され、かつ、そのスペーサＳは、所定間隔を保って複数個設けられている。そして、そのジャンパ線Ｊは、両側がジャンパ支持装置２ａ，２ｂによりそれぞれ支持されて、ほぼ水平となるように張設されている。
【００１２】
ジャンパ支持装置２ａ，２ｂは、一端側が耐張がいし装置１ａ，１ｂの先端部に取付金具３ａ，３ｂを介してそれぞれ回動自在に支持されている。さらに、それらジャンパ支持装置２ａ，２ｂの他端側には、取付金具４ａ，４ｂを介してジャンパ線Ｊが回動自在にそれぞれ取付けられるように構成されている。
【００１３】
図中、Ｗは、ウエイトであって、一方のジャンパ支持装置２ｂの下部（ジャンパ支持装置２ｂの他端部）側に設けられている。このウエイトＷの設けられるジャンパ支持装置は、水平線に対する耐張がいし装置１ａ，１ｂのなす角、すなわち、カテナリ角θ1 ，θ2 のうち小さい方であり、図示の例では、ジャンパ支持装置１ｂに設けられている。
【００１４】
図３は、ウエイトＷの取付部分の詳細図で、同図（ａ）は、図１のＢ−Ｂ線拡大図に相当し、同図（ｂ）は、同図（ｂ）のＣ−Ｃ線断面図である。
【００１５】
すなわち、ウエイトＷは、ジャンパ支持装置２ｂに回動自在に設けられる取付金具４ｂに設けられた支持棒５に設けられている。そして、この支持棒５に取付けられるウエイトＷの質量（重量）は、カテナリ角θ1 ，θ2 の相違によりジャンパホーンＨ1 が所定の位置から耐張がいし装置１ａ側に寄った分を引き戻せるように決められている。
【００１６】
上述のように、一方のジャンパ支持装置２ｂの下部にウエイトＷが取付けられると、ジャンパホーンＨ1 とインパルスホーンＨ2 とが一本の垂直線Ｖ上に位置し、両ホーンＨ1 ，Ｈ2 間の放電効果を所定に保つことができる。
【００１７】
このように、ジャンパ支持装置２ｂの下部にウエイトＷが設けられると、結局、ジャンパ線Ｊの張力が増すことになり、ジャンパ線Ｊが鉄塔側に揺れる、いわゆる横揺れをも効果的に防止することができる。
【００１８】
また、ジャンパ線Ｊが一対のジャンパ支持装置２ａ，２ｂでほぼ水平状に張設されるので、ジャンパ線Ｊの深さが小さくなり、したがって、上下のアーム間隔を小さくでき、これにより、鉄塔自身も小型化することができる。
【００１９】
なお、上述の例では、ウエイトＷをジャンパ支持装置２ｂ側に設けたが、ジャンパホーンＨ1 がジャンパ支持装置２ｂ側に寄っているときは、ウエイトＷは、ジャンパ支持装置２ａ側に設けられる。さらに、送電線Ｌ及びジャンパ線Ｊは、多導体で構成したが、単導体であってもよいことはもちろんである。
【００２０】
また、ウエイトＷは、質量を異ならせて両ジャンパ支持装置２ａ，２ｂにそれぞれ設けることもできる。ここでウエイトＷの質量の相違は、両ホーンＨ1 ，Ｈ2 が一本の垂直線Ｖ上に位置するように決められることはいうまでもない。このように、両ジャンパ支持装置２ａ，２ｂにウエイトを設けるようにすると、ジャンパ線Ｊの弛みをより少なくできる効果がある。さらに、両ジャンパ支持装置２ａ，２ｂ自体に質量差を設けてウエイトを省略することもできる。
【００２１】
上述の例は、アームａにインパルスホーンＨ1 を設けるとともに、そのインパルスホーンＨ1 に対向してジャンパ線ＪにジャンパホーンＨ2 を設けたが、これらホーンＨ1 ，Ｈ2 を持たない場合であってもよい。すなわち、ジャンパ線支持装置２ａ，２ｂの質量差を利用してそのジャンパ線Ｊの弛み底の位置が所定の位置となるように調整することができる。この弛み底の調整は、通常、アームａの真下にジャンパ線Ｊの弛み底が位置するように調整されるが、カテナリ角の相違等によって、適宜、調整される。
【００２２】
【発明の効果】
本発明に係るジャンパ装置は、両ジャンパ支持装置に質量差を設け、その質量差により、インパルスホーン及びジャンパホーンが一本の垂直線上に位置するように調整ようにしたので、ジャンパホーンとインパルスホーンとの間の位置調整を容易に行うことができる。
【００２３】
本発明に係るジャンパ装置は、両ジャンパ支持装置に質量差を設け、その質量差により、ジャンパ線の弛み底の位置が所定の位置となるように調整するようにしたので、ジャンパ線の弛み底の位置調整を容易に行なうことができる。
【図面の簡単な説明】
【図１】本発明の一実施の形態に係るジャンパ装置の概略構成図である。
【図２】図１のＡ−Ａ線拡大断面図である。
【図３】（ａ）は、図１のＢ−Ｂ線拡大断面図、（ｂ）は、（ａ）のＣ−Ｃ断面図である。
【符号の説明】
ａ  アーム
Ｌ  送電線
Ｊ  ジャンパ線
Ｓ  スペーサ
Ｈ1   ジャンパホーン
Ｈ2   インパルスホーン
Ｖ  垂直線
１ａ，１ｂ  耐張がいし装置
２ａ，２ｂ  ジャンパ支持装置
Ｗ  ウエイト
【図１】
0003888822.tif 000002
【図２】
0003888822.tif 000003
【図３】
0003888822.tif 000004